(57)【要約】【課題】  印刷データ通信ラインの自己復帰可能な過電流保護素子が働きトリップ状態となった場合に通信ラインを特定した検出が行えること、更にはそれが一時的な自己復帰可能な過電流保護素子の温度変化の影響であった場合でも印刷を継続可能にする印刷装置の印刷制御方法を提供する。【解決手段】  上位装置との印刷データ通信手段を持ち、複数の印刷データ通信ラインを持つ印刷装置において、印刷データ通信ライン毎に自己復帰可能な過電流保護素子を有し、印刷データ通信ラインに不具合が生じた場合、不具合箇所の特定を可能とする。【選択図】  図１
2010184453.tif 000002
【特許請求の範囲】
【請求項１】
上位装置との印刷データ通信手段と、複数の印刷データ通信ラインを有する印刷装置において、印刷データ通信ライン毎に自己復帰可能な過電流保護素子を有し、印刷データ通信ラインに不具合が生じた場合に不具合箇所の特定を可能とすることを特徴とする印刷装置の印刷制御方法。
【請求項２】
請求項１記載の印刷装置の印刷制御方法において、前記不具合の特定箇所の情報を上位装置に通知することを特徴とする印刷装置の印刷制御方法。
【請求項３】
上位装置との印刷データ通信手段と、複数の印刷データ通信ラインを有する印刷装置において、印刷データ通信ライン毎に自己復帰可能な過電流保護素子と温度センサと冷却手段を有し、印刷データ通信ラインに不具合が生じた場合に不具合箇所の特定を可能とすることを特徴とする印刷装置の印刷制御方法。
【請求項４】
請求項３記載の印刷装置の印刷制御方法において、前記自己復帰可能な過電流保護素子が働き、トリップ状態となった情報を上位装置に通知することを特徴とする印刷装置の印刷制御方法。
【請求項５】
請求項３記載の印刷装置の印刷制御方法において、前記温度センサの異常な温度データ値の上昇を検出した場合に、冷却手段によって自己復帰可能な過電流保護素子を冷却し印刷継続を可能とすることを特徴とする印刷装置の印刷制御方法。
【発明の詳細な説明】
【技術分野】
【０００１】
本発明は、上位装置との印刷データ通信手段と、複数の印刷データ通信ラインを有する印刷装置の印刷制御方法に関するものである。
【背景技術】
【０００２】
上位装置と印刷データ通信手段を持ち、複数の印刷データ通信ラインを持つ印刷装置において、従来の印刷データラインの異常チェック方法としては、データパリティを用いた方法、ＩＥＥＥ１３９４では双方向通信モードによる検出方法があるが、データパリティを用いた方法では不具合が生じた印刷データ通信ラインまで特定することは不可能であり、またＩＥＥＥ１３９４の双方向通信モードを用いた方法では、電源ＯＮ時にチェックするのみであるため、印刷中に印刷データ通信ラインの不具合を特定するような検出は困難であった。
【０００３】
また、印刷データ通信ライン毎に複数の自己復帰可能な過電流保護素子を実装している場合においては、印刷中に自己復帰可能な過電流保護素子が働きトリップ状態となった原因が自己復帰可能な過電流保護素子の一時的な温度変化の影響によるものであった場合でも、一度電源をＯＦＦしなければならないため再度上位装置から印刷データを送信し、印刷ジョブを最初から印刷させる必要があり大幅に印刷時間を要していた。
【０００４】
このように従来技術では、印刷データ通信ラインの自己復帰可能な過電流保護素子が働きトリップ状態となった場合に通信ラインを特定した検出ができないこと、更にはそれが一時的な自己復帰可能な過電流保護素子の温度変化の影響であった場合に印刷を継続できないという課題があった。
【発明の概要】
【発明が解決しようとする課題】
【０００５】
本発明は上記課題に鑑み、印刷データ通信ラインの自己復帰可能な過電流保護素子が働きトリップ状態となった場合に通信ラインを特定した検出が行えること、更にはそれが一時的な自己復帰可能な過電流保護素子の温度変化の影響であった場合でも印刷を継続可能にする印刷装置の印刷制御方法を提供することにある。
【課題を解決するための手段】
【０００６】
上記課題を解決するために、本発明の第１の手段は、上位装置との印刷データ通信手段を持ち、複数の印刷データ通信ラインを持つ印刷装置において、印刷データ通信ライン毎に自己復帰可能な過電流保護素子を有し、印刷データ通信ラインに不具合が生じた場合、不具合箇所の特定を可能とすることを特徴とするものである。
【０００７】
本発明の第２の手段は第１の手段において、不具合の特定箇所の情報を上位装置に通知することを特徴とするものである。
【０００８】
本発明の第３の手段は、上位装置との印刷データ通信手段を持ち、複数の印刷データ通信ラインを持つ印刷装置において、印刷データ通信ライン毎に自己復帰可能な過電流保護素子と温度センサと冷却手段を有し、印刷データ通信ラインに不具合が生じた場合、不具合箇所の特定を可能とすることを特徴とするものである。
【０００９】
本発明の第４の手段は第３の手段において、自己復帰可能な過電流保護素子が働き、トリップ状態となった情報を上位装置に通知することを特徴とするものである。
【００１０】
本発明の第５の手段は第３の手段において、温度センサの異常な温度データ値の上昇を検出した場合に、冷却手段によって自己復帰可能な過電流保護素子を冷却し印刷継続を可能とすることを特徴とするものである。
【発明の効果】
【００１１】
本発明の第１の手段によれば、上位装置との印刷データ通信手段を持ち、複数の印刷データ通信ラインを持つ印刷装置において、複数の自己復帰可能な過電流保護素子を複数の印刷データ通信ラインに各々実装することで、不具合の発生した印刷データ通信ラインを確実に特定することができる。
【００１２】
本発明の第２の手段によれば、トリップ状態となった箇所の情報を上位装置に通知することでオペレータ及び保守員へ的確に報告できる。
【００１３】
本発明の第３の手段によれば、上位装置との印刷データ通信手段を持ち、複数の印刷データ通信ラインを持つ印刷装置において、複数の自己復帰可能な過電流保護素子を複数の印刷データ通信ラインに各々実装し、かつ複数の自己復帰可能な過電流保護素子に各々温度センサを取り付けることで、印刷データ通信ラインの自己復帰可能な過電流保護素子が働きトリップ状態となり、印刷データ通信に不具合箇所の特定をすることが可能となる。
【００１４】
本発明の第４の手段によれば、トリップ状態となった箇所の情報を上位装置に通知することでオペレータ及び保守員へ的確に報告できる。
【００１５】
本発明の第５の手段によれば、一時的な異常な温度データ値の上昇を検出した場合に、冷却手段によって自己復帰可能な過電流保護素子を冷却することが可能であり継続して印刷することが可能となる。
【図面の簡単な説明】
【００１６】
【図１】本発明の実施例に係る制御回路の構成図である。
【図２】トリップ状態検出部の構成の一例を示す図である。
【図３】冷却手段の選択および動作の詳細を示す図である。
【図４】温度センサからの温度データを示す図である。
【図５】本発明の制御方法の詳細を示す図である。
【図６】本発明の制御方法を示すフローチャートである。
【発明を実施するための形態】
【００１７】
印刷装置において、本発明に関与する部分を抜き出したものを図１に示す。ここで用いるｓ、ｍ、ｎ、ａ、ｂ、ｃ、ｄは全て自然数である。
【００１８】
本発明の一実施例における印刷装置の構成について以下説明する。
【００１９】
ｓ本（ｓ＞１、例えば８本）の印刷データ通信ラインによって印刷データを出力する上位装置１と、印刷制御や冷却手段３の制御を行う制御基板２、基板上の自己復帰可能な過電流保護素子６冷却のため、及び装置内における冷却路確保のためにｎ個（ｎ＞３、例えば９個）実装されている冷却手段３（１〜ｎ）、制御基板２からの信号により、過電流保護素子６が働きトリップ状態となった情報をオペレータに通知するオペレータ通知手段４、制御基板２からの信号により印刷実行、停止を行う印刷制御部５からなる。
【００２０】
更に、制御基板２の構成は、まず印刷データ通信ラインの電流をセンシングし、異常な電流を検出した場合には保護動作してトリップ状態となるｓ個の自己復帰可能な過電流保護素子６（１〜ｓ）が働いてトリップ状態になったことを検出して、ＣＰＵ１０に信号を出力するｓ個のトリップ状態検出部７（１〜ｓ）、また、過電流保護素子６の温度をセンシングして温度データとして送る、過電流保護素子６に取り付けられたｍ個（ｍ≧ｓ、例えば８個）の温度センサ８（１〜ｍ）、ある過電流保護素子６の異常な温度上昇をＣＰＵ１０が検出した場合に、その過電流保護素子６を効率的に冷却することができる冷却手段３（例えば異常に温度上昇している過電流保護素子６に対して最も近くから冷却できる冷却手段３ｂ、また、冷却路を効率良く確保するために必要な冷却手段３ｃ、３ｄ）を選択するためのデータを保持している冷却手段情報保持手段９、温度センサ８からの温度データを監視し、ある過電流保護素子６（例えば過電流保護素子６ａ）の異常な温度上昇を検出した場合に、温度上昇した過電流保護素子６を効率よく冷却できる冷却手段３を、冷却手段情報保持手段９に保持されているデータにより単数または複数選択し、選択した冷却手段３を動作させる。またトリップ状態検出部７からの信号を受信した場合には、印刷制御部５を通して印刷を停止させて、過電流保護素子６が働きトリップ状態となった情報を上位装置とオペレータ通知手段４を通してオペレータに通知するＣＰＵ１０からなる。
【００２１】
トリップ状態検出部７の構成の一例は図２のようなものであり、過電流保護素子６の両端での信号レベルの違い（例えば＋５Ｖと＋０Ｖ）を乗算器２１、加算器２２によって検出し、過電流保護素子６が働きトリップ状態であること、または信号レベルが一致したことで過電流保護素子６が復帰したことを検出するものである。なお、ツェナーダイオード２０は、瞬時的な高電圧が印刷データラインに印加された場合の、トリップ状態検出部７の保護用に実装する。
【００２２】
上記構成によって、制御基板２を用いた制御により、印刷データ通信ラインの過電流保護素子６が働きトリップ状態となった不具合箇所を特定可能となり、また一時的な異常電流による過電流保護素子６の温度上昇があった場合に、冷却手段３を用いて継続した印刷を提供することができる。
【００２３】
以下では、印刷継続を可能とする詳細な方法について図５、または図６のフローチャート及び制御基板２での制御方法をもって説明する。まずＣＰＵ１０は各過電流保護素子６に取り付けられた温度センサ８からの温度データ値に対して図４に示すような２つの閾値を用いて監視する。具体的には、温度データ値が閾値（例えば６０℃）を超えていないか、または温度データ値を一定時間毎に記憶し、最新の２つのデータから求める温度データ上昇の傾き（例えば５℃／ｓｅｃ）が閾値を越えていないかについて監視する。もしもどちらか一方の閾値を越えたことを検出した場合、ＣＰＵ１０が図３に示すような選択方法で冷却手段３を選択し、冷却手段３を動作させる。具体的には、異常な温度上昇を検出した過電流保護素子６（例えば過電流保護素子６ａ（ａ＜ｍ））に対して、冷却手段情報保持手段９に保持されている、効率的に冷却を行える冷却手段３（例えば冷却手段３ｂ、３ｃ、３ｄ（ｂ、ｃ、ｄ＜ｎ））に対応したデータを読み込んで冷却手段３を選択し、ＣＰＵ１０が読み込んだデータに対応した冷却手段３ｂ、３ｃ、３ｄを動作させて温度が上昇した過電流保護素子６ａを冷却する。以上の方法で冷却手段３を動作させても印刷データ通信ラインの過電流保護素子６が働きトリップ状態となった場合は、誤印刷につながってしまうため、ＣＰＵ１０が印刷制御部５を通して印刷を停止し、上位装置１と、オペレータ通知手段４を通してオペレータに、印刷データ通信ラインの不具合箇所と、印刷データ通信ラインの不具合が原因で印刷を停止したことを通知する。もしも冷却手段３を動作させた後、トリップ状態検出部７からの信号が無い場合には、現在印刷中の印刷ジョブまでは印刷し、印刷終了後に印刷制御部５を通して印刷停止し、上位装置１と、オペレータ通知手段４を通してオペレータに、印刷データ通信ラインの不具合箇所と、印刷データ通信ラインの不具合が原因で印刷停止したことを通知する。なお図６の実施例のように、トリップ状態検出部７からの信号を受信しなければ、一時的な異常電流によって過電流保護素子６の温度が一時的に上昇したものと判断し、そのまま印刷動作を続行することもできる。
【符号の説明】
【００２４】
１は上位装置、２は制御基板、３は冷却手段、４はオペレータ通知手段、５は印刷制御部、６は過電流保護素子、７はトリップ状態検出部、８は温度センサ、９は冷却手段情報保持手段、１０はＣＰＵ、２０はツェナーダイオード、２１は乗算器、２２は加算器である。
【先行技術文献】
【特許文献】
【００２５】
【特許文献１】特表２００５−５３５１１０号公報
【特許文献２】特開２００６−２７１０５５号公報
【特許文献３】特開２００７−１３３１７４号公報
【図１】
2010184453.tif 000003
【図２】
2010184453.tif 000004
【図３】
2010184453.tif 000005
【図４】
2010184453.tif 000006
【図５】
2010184453.tif 000007
【図６】
2010184453.tif 000008